(57)【要約】      （修正有）【課題】頭髪のカット練習を行うためのカット練習用マネキンウィッグを提供する。【解決手段】頭髪のカット練習を行うためのカット練習用マネキンウィッグである。マネキン頭部１０には、頭髪１２が植毛されている。マネキン頭部１０から下方には伸びる首部２０が伸びている。首部２０の下方に少なくとも左右方向に伸びる肩部３０がある。そして、肩部３０は、マネキン頭部１０の幅に対応する幅となっており、人の肩を模した形状となっている。【選択図】図１
0003173147.tif 000002
【実用新案登録請求の範囲】
【請求項１】
頭髪のカット練習を行うためのカット練習用マネキンウィッグであって、
植毛された頭髪を含み、人の頭を模したマネキン頭部と、
マネキン頭部から下方に伸びる首部と、
首部の下方に少なくとも左右方向に伸びる肩部と、
を有し、
前記肩部は、マネキン頭部の幅に対応する幅となっており、人の肩を模した形状となっているカット練習用マネキンウィッグ。
【請求項２】
請求項１に記載のカット練習用マネキンウィッグであって、
前記肩部の左右終端部は、左右方向に伸びた後鋭角に下側に曲がることで、側面は下方内側に向いているカット練習用マネキンウィッグ。
【請求項３】
請求項１または２に記載のカット練習用マネキンウィッグであって、
前記肩部の背中側は人の肩から背中の形状を模した形状となっており、
前記肩部の胸側は、首部から前方に伸びているカット練習用マネキンウィッグ。
【請求項４】
請求項１〜３のいずれか１つに記載のカット練習用マネキンウィッグであって、
マネキン頭部の上下方向の投影面積と、肩部の投影面積とは、対応した大きさであるカット練習用マネキンウィッグ。
【請求項５】
請求項１〜４のいずれか１つに記載のカット練習用マネキンウィッグであって、
肩部はほぼ四角形であるカット練習用マネキンウィッグ。
【考案の詳細な説明】
【技術分野】
【０００１】
本考案は、頭髪のカット練習を行うためのカット練習用マネキンウィッグに関する。
【背景技術】
【０００２】
頭髪のカット練習用に、カット練習用マネキンウィッグが販売されており、カット技術の向上のためには、必須の道具となっている。
【０００３】
そこで、このカット練習用マネキンウィッグについて、各種の提案がなされている（特許文献１〜３参照）。
【先行技術文献】
【特許文献】
【０００４】
【特許文献１】特開２０１０−３５８８９号公報
【特許文献２】特開２００−２８３８０号公報
【特許文献３】特開２００３−１６４３３０号公報
【考案の概要】
【考案が解決しようとする課題】
【０００５】
ここで、カット練習用マネキンウィッグにおいては、実際の人の頭髪のカットとの差について十分な検討がなされておらず、十分な練習とならないおそれがあった。
【課題を解決するための手段】
【０００６】
本考案は、頭髪のカット練習を行うためのカット練習用マネキンウィッグであって、植毛された頭髪を含み、人の頭を模したマネキン頭部と、マネキン頭部から下方に伸びる首部と、首部の下方に少なくとも左右方向に伸びる肩部と、を有し、前記肩部は、マネキン頭部の幅に対応する幅となっており、人の肩を模した形状となっていることを特徴とする。
【０００７】
また、前記肩部の左右終端部は、左右方向に伸びた後鋭角に下側に曲がることで、側面は下方内側に向いていることが好適である。
【０００８】
また、前記肩部の背中側は人の肩から背中の形状を模した形状となっており、前記肩部の胸側は、首部から前方に伸びていることが好適である。
【０００９】
また、マネキン頭部の上下方向の投影面積と、肩部の投影面積とは、対応した大きさであることが好適である。
【００１０】
また、肩部はほぼ四角形であることが好適である。
【考案の効果】
【００１１】
肩部があるため、実際に近いカット練習が行え、カット練習の効果が高まる。
【図面の簡単な説明】
【００１２】
【図１】実施形態の正面図である。
【図２】実施形態の側面図である。
【図３】肩部を正面から見た模式図である。
【図４】頭髪のない状態での正面および左側面図である。
【図５】頭髪のない状態での後面および右側面図である。
【図６】頭髪のない状態での平面図である。
【図７】実施形態の底面図である。
【考案を実施するための形態】
【００１３】
以下、本考案の実施形態について、図面に基づいて説明する。
【００１４】
図１は、実施形態に係るカット練習用マネキンウィッグの正面図であり、図２は側面図である。
【００１５】
マネキン頭部１０には、その上部および後部に植毛による頭髪１２が形成される。マネキン頭部１０は、全体として人を模した形状としており、前面側の顔部１４には、目、耳、鼻などが人を模して形成されるが、これについては図示を省略してある。
【００１６】
そして、このマネキン頭部１０の下には、首部２０が形成されている。この首部２０は、マネキン頭部１０と一体的に形成されており、人の首を模して形成されている。従って、顎、うなじなどが人の形状を模して形成されている。
【００１７】
そして、この首部２０の下に肩部３０が形成されている。なお、首の下は前側が胸で、後側が背中であるが、本実施形態では、これらを便宜的に肩部３０に含める。この肩部３０の背中側は、人の背中に至る辺りで終わっており、ほぼ人の形状を模している。また、肩部３０は、左右方向において、人の肩を模してほぼ水平方向に、若干徐々に下がるように伸びて形成されている。この部分は、大きければよいが、制作上あまり大きくすることは好ましくなく、マネキン頭部１０の投影面積と同等の幅にしてある。そして、左右の端面３０ａは、扇型の面となっており、肩部３０の表面は人の肩と同じく肩の中心が高く前後に向けて下る面となっている。また、図３に示すように、扇型の端面３０ａは前後方向から見たときに下側ほど内側に切れ込んで、下端は左右方向の肩表面より内側に位置している。図３は肩部３０を正面から見た模式図である。
【００１８】
カット練習に際し、人の手が厚さより少し大きな肩部があれば練習に効果があることがわかっており、マネキン頭部１０の投影面積と同等の幅にすることで、比較的幅の小さな首部との間で、人の手が置かれるエリアを確保することが可能になる。
【００１９】
すなわち、従来のカット練習用マネキンウィッグでは、肩部３０がなく、首で終わっているものがほとんどである。この場合、髪の毛は自由にそのまま下方に伸びている。そして、カット練習をする場合に髪の毛の先端を揃えたりするのが容易となる。ところが、実際に人の髪の毛をカットする場合、髪の毛は肩に掛かり、カットする際にハサミを持たない方の手で髪の毛を保持する場合に、肩が邪魔する。
【００２０】
本実施形態のように、マネキン頭部１０と同じくらいの幅の肩部３０があると、髪の毛をカットする場合に、この肩部３０が髪の毛を保持する手の邪魔になり、実際に近いカット練習が行える。そして、肩部３０を腕の方にまで広げると、成形が容易でなく、本実施形態では成形を容易にしつつ、カット練習の際に大きな効果が得られる。
【００２１】
また、肩部３０の胸側は、少し前方に突出している。この部分は、顎の下に当たり、ヘアカットの際には、ほとんど手が当たらない胸の上部に該当するため、人の胸の形状を模してはおらず、前方に突出している。これによって、マネキン頭部１０をそのまま台上などに載置した場合に、安定しておくことができる。
【００２２】
次に、このようなマネキン頭部１０の製造について、説明する。
【００２３】
（ｉ）型の製作
まず、蝋で出来た立方体にイメージしたマネキン頭部１０を彫刻して形成し、マネキン頭部１０の蝋型を作成する。
【００２４】
（ｉｉ）型の鍍金加工
（ｉ）で作成した蝋型に銅を付着させ、蝋型に鍍金加工を施す。
【００２５】
（ｉｉｉ）金型加工
（ｉｉ）で加工した型を加熱し型内部の蝋を溶解、外側の銅の部分のみを残すことで、内部は空洞（中空）の金型を得る。
【００２６】
（ｉｖ）マスク鋳造
（ｉｉｉ）で作製した金型に液体のポリ塩化ビニールを注入し、金型を冷却回転させながら金型内壁にポリ塩化ビニールを薄く付着させマスク（頭、顔）を形成する。
【００２７】
（ｖ）植毛
（ｉｖ）で形成されたマスクに、手作業で加工済みの人毛を植毛（針を使い人毛を数本ずつマスクに差し込む）し頭髪を形成する。
【００２８】
（ｖｉ）充填、及び台座の装着
（ｖ）で植毛されたマスクを型に固定し、マスク内部に内側に液体ポリウレタンを注入し、台座（ポリ塩化ビニール製）を装着し、注入されたポリウレタンが発泡し植毛が固定されマネキン頭部１０が固体として得られる。
【００２９】
（ｖｉｉ）化粧
（ｖｉ）で完成したマネキンに眉毛、目、口等の化粧をエアーブラシや手書きで装飾し、カット練習用マネキンウィッグが完成する。
【００３０】
図４〜７には、カット練習用マネキンウィッグの植毛前のものの外観の六面図が示されている。
【００３１】
図４は正面および左側面、図５は後面および右側面図、図６は平面図、図７は底面図である。
【００３２】
図４，５に示されるように、目、鼻、口、耳、なども形成され、目、眉毛、唇などに装飾が施されている。平面は、製作の容易さも考え、ほぼ円形になっている。底面は、ドーナツ状の外側リング４０の内側に、支持棒が挿入可能なＡＮＡを形成した内側リング４２が形成されている。内側リング４２の内側の端部には上方に伸びる筒状または先端が閉じた円錐形帽子状のガイド部材４４が上方に向けて形成され、ここに支持棒が挿入可能になっている。
【００３３】
カット練習用マネキンウィッグを使ってカット練習をする際には、三脚のようなスタンドで、支持棒が上方に向けて突出しているスタンドの支持棒にカット練習用マネキンウィッグを装着する。
【符号の説明】
【００３４】
１０  マネキン頭部、１２  頭髪、１４  顔部、２０  首部、３０  肩部、３０ａ  端面、４０  外側リング、４２  内側リング、４４  ガイド部材。
【図１】
0003173147.tif 000003
【図２】
0003173147.tif 000004
【図３】
0003173147.tif 000005
【図４】
0003173147.tif 000006
【図５】
0003173147.tif 000007
【図６】
0003173147.tif 000008
【図７】
0003173147.tif 000009